(57)【特許請求の範囲】
【請求項１】
水田側に配置する前側を開放にし、方形状底版の奥側には下端部に排水孔を設けた垂直壁を配置し、該底版の両側に一対の側壁を配置してコ字状に形成した、水田の畔近傍に設置される水田用排水桝の該排水孔に、排水管の一方端を取り付け、該排水管の他方端を排水路に連結した水田用貯水量調整装置であって、
前記一対の側壁の対向位置に、土留板差し戸口を設けると共に、該土留板差し戸口と前記垂直壁のほぼ中間位置に貯水量調整板差し戸口を設け、前記土留板差し戸口には、土壌面とほぼ同じ高さの土留板を垂直に差し込むとともに、該土留板上に載置した時に営農水位となる高さの営農水位調整板を垂直に差し込み、前記貯水量調整板差し戸口には、上端高さを稲の生育状態に合わせた任意の高さである貯水水位とほぼ同じ高さに形成し、下部に排水量調整孔を穿設した貯水量調整板を垂直に差し込むように構成し、
通常雨量の場合は、営農水位調整板を越えて貯水量調整板との間の空間部に入った雨水が、貯水量調整板の排水量調整孔から排水孔に取り付けられた排水管を介して排水路へ排水して水田の営農水位を保持し、豪雨の場合は、営農水位調整板を越えて空間部に入った雨水は排水量調整孔からの排出量を上回り、空間部の水位が徐々に上昇し、やがて雨水は貯水量調整板の上端高さに設定した貯水水位を超えて越流させて、貯水量調整高さに越流高さを加えた高さの最高貯水水位まで雨水を貯め、水田の稲の冠水、畔の損壊する事態を防止することを特徴とする水田用貯水量調整装置。
【請求項２】
貯水量調整板の高さは、稲の生育に悪影響を与えない高さに形成したことを特徴としてなる請求項１に記載の水田用貯水量調整装置。
【請求項３】
貯水量調整板の排水量調整孔は、通常の降雨量の場合には、営農水位を越えない排水量に調整した大きさに形成したことを特徴としてなる請求項１に記載の水田用貯水量調整装置。
【発明の詳細な説明】
【技術分野】
【０００１】
本発明は、豪雨の際には水田に一定量の雨水を貯めて水害を防止する「田んぼダム」のための水田用貯水量調整装置に関するものである。
【背景技術】
【０００２】
近年においては地球温暖化の影響により、ゲリラ的な集中豪雨が増えており、この短時間に集中的に降る雨による洪水被害が頻発している。しかし、洪水対策としてダムや河川改修、貯水池などの従来からの治水対策では巨額な費用がかかり、また、局所的なゲリラ豪雨に対応することは難しい。
【０００３】
このような集中豪雨の際の対策として、水田を利用した「田んぼダム」が提案されている。これは、豪雨時に水田に雨水を一時的に貯留させて、河川への雨水の流出量を抑制して、下流域の住宅地や畑への浸水被害を緩和しようというものである。
【０００４】
これまでの水田用排水桝の水位の調整は、水位調整板の高さを変えることで行っている。このようなこれまでの排水桝の場合、降った雨は水位調整板２２（図５参照）を越えて排水管から排水路へ排水され、水位を一定に保っている。このような構造のため、雨が降ると、降った雨が直ぐに排水路へ流れ込んでしまい、集中豪雨の時には、降った雨が短時間に一気に排水路から河川へと流れ込み、その結果洪水が発生している。（図５参照）
【０００５】
このような洪水の発生を防止するために改善された従来の技術は、水田の水が排水筒の上部排水口部から導入し下部排水口部からこれに連通する水田の水田排水部へと排水し、前記上部排水口部の高さ設定により水田の水位を設定する水田用水位設定装置とし、前記水田排水部に連結する取付管に本体筒部を連結する構成とし、また、この本体筒部を取付管に対して昇降自在若しくは本体筒部を前記取付管に対して昇降自在となる可動管を有する構成とし、この本体筒部の上部に限界排水口部を設け、前記限界排水口部より下方の周面に前記限界排水口部より小さい周面排水口部を設け、この周面排水口部若しくは前記限界排水口部を前記上部排水口部として設けて、雨水で増水する水田の水を前記周面排水口部より排水して水田の水位を保持し、この雨水による水田の増水量が前記周面排水口部からの排水量を超えると水田の水位が上昇して、前記限界排水口部より排水される水位に達するまでの増水量が水田に貯水されるように構成した水田用水位設定装置が提案されている（特許文献１参照）。
【先行技術文献】
【特許文献】
【０００６】
【特許文献１】特開２０１０−２２３２４号公報
【発明の概要】
【発明が解決しようとする課題】
【０００７】
(1)これまでの排水桝では、営農水位を越えた雨水は、排水路から河川へと直ちに流れ込む結果、豪雨の場合には、河川の水位が短時間に一気に上昇して洪水が発生する。このため、水田に雨水を一定水位まで貯水して、河川への雨水の流入を抑制し、豪雨時の洪水被害を回避するためには、水位調整板を取り替える作業が必要であるが、このような水位調整板の取り替え作業は煩雑であるばかりか危険も伴う。また、この水位調整板の高さの選択を間違うと、水田の稲が冠水したり、畔が決壊したりするという被害を発生させることもあるという欠点がある。
【０００８】
(2)  雨が止んだ後にも水位調整板を交換しないまま放置した場合は、水田の水は元の営農水位には戻らない。従って、稲の生育に悪影響を与える。また、一度雨が止んだ後、再び大雨が降ったときの貯水能力を失うという問題点がある。
【０００９】
(3)  このような問題を解決するために改善された従来の技術では、装置が複雑で金属製のため、高価になるという問題がある。また、「田んぼダム」の機能を利用した水害防止は、少しの水田に実施してもその効果は期待できず、多くの水田に設置して広い面積を「田んぼダム」にする必要がある。このため高価な装置では多くの水田に設置するのは困難になるという問題がある。
【００１０】
本発明は上記問題点に鑑みて、小雨の時は水田の設定水量を保持し、豪雨時には水田に「田んぼダム」機能を働かせて自動的に一定水量を貯水して、河川への雨水の流出を抑制することを可能とする水田用貯水量調整装置に関するものである。
【課題を解決するための手段】
【００１１】
上記課題を解決するための手段のうち、本発明の水田用貯水量調整装置における主たる構成（請求項１）は、
水田側に配置する前側を開放にし、方形状底版の奥側には下端部に排水孔を設けた垂直壁を配置し、該底版の両側に一対の側壁を配置してコ字状に形成した、水田の畔近傍に設置される水田用排水桝の該排水孔に、排水管の一方端を取り付け、該排水管の他方端を排水路に連結した水田用貯水量調整装置であって、
前記一対の側壁の対向位置に、土留板差し戸口を設けると共に、該土留板差し戸口と前記垂直壁のほぼ中間位置に貯水量調整板差し戸口を設け、前記土留板差し戸口には、土壌面とほぼ同じ高さの土留板を垂直に差し込むとともに、該土留板上に載置した時に営農水位となる高さの営農水位調整板を垂直に差し込み、前記貯水量調整板差し戸口には、上端高さを稲の生育状態に合わせた任意の高さである貯水水位とほぼ同じ高さに形成し、下部に排水量調整孔を穿設した貯水量調整板を垂直に差し込むように構成し、
通常雨量の場合は、営農水位調整板を越えて貯水量調整板との間の空間部に入った雨水が、貯水量調整板の排水量調整孔から排水孔に取り付けられた排水管を介して排水路へ排水して水田の営農水位を保持し、豪雨の場合は、営農水位調整板を越えて空間部に入った雨水は排水量調整孔からの排出量を上回り、空間部の水位が徐々に上昇し、やがて雨水は貯水量調整板の上端高さに設定した貯水水位を超えて越流させて、貯水量調整高さに越流高さを加えた高さの最高貯水水位まで雨水を貯め、水田の稲の冠水、畔の損壊する事態を防止することを特徴とするものである。
【００１２】
本発明の請求項２の発明は、請求項１に記載の水田用貯水量調整装置において、
貯水量調整板の高さは、稲の生育に悪影響を与えない高さに形成したことを特徴としてなるのである。
【００１３】
本発明の請求項３の発明は、請求項１に記載の水田用貯水量調整装置において、
貯水量調整板の排水量調整孔は、通常の降雨量の場合には、設定水位を越えない排水量に調整した大きさにしたことを特徴としてなるものである。
【発明の効果】
【００１４】
本発明は上記構成となっているので、以下に示す効果を奏する、
(1)「田んぼダム」の機能を利用した水害防止は、少しの水田に実施しても効果は期待できず、多くの水田に実施して広い面積を「田んぼダム」にする必要がある。「田んぼダム」を形成するため、高価な装置を設置した場合は費用が膨大となり実施が困難であるが、本発明は、構造が簡易な水田用貯水量調整装置であるため、設備費用を低く抑えて広範囲の水田に設置して「田んぼダム」の機能を発揮させ、洪水発生を防止出来る。
【００１５】
(2)本発明によれば、集中豪雨時には「田んぼダム」の機能を利用し水田に雨水を貯水し排水量を抑制できる。その結果、雨水が短時間に一気に河川へ排出することがないため、水害の発生を防止できる。また、雨が降り続いた場合でも、最高貯水水位を超えることはないため、畔の決壊や稲の冠水を防止できる。
【００１６】
(3) 水田に貯水する際は、ただ単に水田に貯水するだけではなく、水害を引き起こさない程度の水量を排水しているので、貯水水位に達するまでの時間を長く稼ぐことができる構造にされている。また、一時的に雨が降り止んだり小雨になったりした場合には、この排水によって水位が低下し、自動的に貯水機能は回復でき、再び豪雨が襲ってきた場合でも貯水することができる。
【００１７】
(4) 通常の降雨量の場合は、排水量調整孔から排水するため営農水位が保持される。また、豪雨時に貯められた雨水は、雨が止んだ後には自動的に営農水位に戻るため、稲の生育に悪影響を与えない。
【００１８】
(5)降雨量に応じて貯水量調整作業を自動的にできるため、豪雨時に危険を伴う貯水量調整作業を回避できる。
【図面の簡単な説明】
【００１９】
【図１】本発明の通常の雨量の場合の実施例図。
【図２】本発明の豪雨の場合の実施例図。
【図３】本発明の雨が止んだ場合の実施例図。
【図４】本発明の水田用排水桝の斜視図。
【図５】これまでの水田用排水桝の実施例図。
【発明を実施するための形態】
【００２０】
本発明を図１から図４を参照して説明する。
図１から図４において、本発明の水田用貯水量調整装置１は、水田１６側に配置する前側を開放にし、方形状底版６の奥側には下端部に排水孔４を設けた垂直壁３を配置し、該底版６の両側に一対の側壁５を配置してコ字状に形成され、水田１６の畔２０近傍に設置される水田用排水桝２と、該水田用排水桝２の排水孔４に、排水管１４の一方端を取り付け、該排水管１４の他方端を排水路１５に連結した構成にされている。
【００２１】
また、前記水田用排水桝２の一対の側壁５の対向位置に、土留板差し戸口７を設けると共に、該土留板差し戸口７と前記垂直壁３のほぼ中間位置に貯水量調整板差し戸口８が設けられている。
【００２２】
前記土留板差し戸口７には、水田１６の土壌１７が水田用排水桝２の中に入るのを阻止する、土壌面１７とほぼ同じ高さの土留板１０を垂直に差し込まれている。
【００２３】
また、前記土留板１０上に載置した時に、営農水位Ｓとなる高さの営農水位調整板１１を垂直に差し込み、前記貯水量調整板差し戸口８には、上端高さを稲の生育状態に合わせた任意の、概ね営農水位Ｓより10cm程度の高さである貯水水位Ｓ１とほぼ同じ高さに形成し、下部に排水量調整孔１２を穿設した貯水量調整板１３を垂直に差し込むように構成されている。
【００２４】
前記貯水量調整板１３の高さは、稲１８が冠水しない高さである最高貯水高さS2から、水害を引き起すような豪雨時に想定される越流高さh2を差し引いた高さに形成し、畔の決壊や冠水を発生させず稲の生育に悪影響を与えないようにされている。
【００２５】
また、前記貯水量調整板１３の排水量調整孔１２は、通常の降雨量の場合には、雨水を支障なく排出可能な大きさであり、畔の決壊や冠水を発生させず稲の生育に悪影響を与えないように形成されている。
【００２６】
図１に示した通常雨量の場合は、水田１６には、営農水位調整板１１の高さ（以下営農水位という）まで水２１が溜められている。そして、水位調整板１１を越えて貯水量調整板１３との間の空間部９に入った雨水が、貯水量調整板１３の下部に穿設された排水量調整孔１２から排水孔４に取り付けられた排水管１４を介して排水路１５へ排水させて水田１６の営農水位Ｓを保持されている。
【００２７】
他方、図2に示した豪雨の場合は、営農水位調整板１１を越えて空間部９へ流れ込む水２１が増加する。この空間部９へ流れ込む水量が、貯水量調整板１３に設けられた排水量調整孔１２からの排水量より多くなると、田んぼの水位は、単位時間あたりの空間部９への流入量と排水量調整孔１２からの排水量の差の分だけ上昇する。
【００２８】
そして、豪雨の場合でも貯水水位Ｓ１を越えるまでは、排水路１５に流れ込む水量は、排水量調整孔１２から排水される水量しか排出されないため、降雨量に関わらず一定に保たれ、排水路１５に短時間に一気に雨水が流れこむことを防止する。
【００２９】
また、降った雨を単に貯水するだけではなく、水害を引き起こさない程度に調整された水量を排水しているので、最高貯水水位Ｓ２に達するまでに要する時間を長くすることが可能となる。
【００３０】
更に、雨が降り続いた場合、雨水は水位上昇に伴い多量の水が貯水量調整板１３を越えて排水管１４より排水されるため、最高貯水水位Ｓ２を越えることがない。このため、稲１８が冠水したり、畔２０が決壊したりすることが防止できる。
【００３１】
すなわち、通常雨量の場合は、営農水位調整板１１を越えて貯水量調整板１３との間の空間部９に入った雨水が、貯水量調整板１３の排水量調整孔１２から排水孔４に取り付けられた排水管１４を介して排水路１５へ排水させて水田１６の営農水位Ｓを保持する。
次に、豪雨の場合は、営農水位調整板１１を越えて空間部９に入った雨水は排水量調整孔１２からの排出量を上回ることになり、空間部９の水位は徐々に上昇し、やがて雨水は貯水量調整板１３の上端高さに設定した貯水水位Ｓ１を超えて越流することになり、貯水量調整高さｈ1に越流高さh2を加えた高さである最高貯水水位S2まで雨水を貯めることができる。この越流高さｈ2は、排水量調整孔１２からの排出量を上回ると始まり、降雨量により変動する。このように貯水水位Ｓ１に達するまでの間は、降雨量に関わらず排水路１５へ排出される水量は排水量調整孔１２より排出される一定の水量に抑えられるため、豪雨の場合であっても降った雨がそのまま排水路１５に短時間に一気に流れ込む事態を防ぐように調整されて「田んぼダム」の機能を発揮するとともに、さらに激しい雨が降り続いた場合には、雨水は貯水量調整板を越流して排出されるため、該最高貯水水位Ｓ２の上昇が抑制保持される。その結果、水田の稲が冠水したり、畔の損壊する事態を防止できるものである。
【００３２】
図３に示したように、雨が止んだ場合は、排水孔４から排水され、水位が貯水水位Ｓ１まで下がると排水量調整孔１２から排水され、自動的に営農水位Ｓに戻り貯水能力を回復する。このため、稲１８の生育に悪影響を及ぼすことがなく、また、再び豪雨が襲ってきた場合でも貯水できる。
【００３３】
上述の場合において、6月下旬頃の稲１８の高さは４０〜５０ｃｍ位、畔の高さは３０〜４０ｃｍ程度であり、貯水する高さは畔２０の高さを考慮すると最大でも２５ｃｍ程度、通常水田１６に水を張っている高さは７〜１０ｃｍ程度である。
【符号の説明】
【００３４】
１  水田用貯水量調整装置
２  水田用排水桝
３  垂直壁
４  排水孔
５  側壁
６  底版
７  土留板差し戸口
８  水位調整板取付け溝
９  空間部
１０  土留板
１１  営農水位調整板
１２  排水量調整孔
１３  貯水量調整板
１４  排水管
１５  排水路
１６  水田
１７  土壌
１８  稲
１９  雨
２０  畔
２１  水
２２  水位調整板
Ｓ    営農水位
Ｓ１  貯水水位
Ｓ２  最高貯水水位
ｈ１  貯水量調整高さ
ｈ２  越流高さ
【図１】
0005311150.tif 000002
【図２】
0005311150.tif 000003
【図３】
0005311150.tif 000004
【図４】
0005311150.tif 000005
【図５】
0005311150.tif 000006